(57)【特許請求の範囲】
【請求項１】
ガラス窓が取り付けられた屋外側窓枠と、
隣接するものと互いに接合された上枠部材、右枠部材、左枠部材、下枠部材を有し、該上枠部材、該右枠部材、該左枠部材、該下枠部材の各々の内側面には隣接するものと互いに連続するように形成された溝部を有する木製の室内側窓枠と、
前記上枠部材の前記溝部に取り付けられた遮光用品と、を備えてなり、
該遮光用品は、下端部を最も降ろした状態において、該下端部、右端部、左端部がそれぞれ前記下枠部材、前記右枠部材、前記左枠部材の各々の溝部の中に位置し、
前記室内側窓枠は、前記上枠部材、前記右枠部材、前記左枠部材、前記下枠部材の各々の内側面に、隣接するものと互いに連続するように形成された第２の溝部を有し、前記上枠部材の前記第２の溝部に昇降可能で巻き取り可能な網戸が取り付けられていることを特徴とする窓構造体。
【請求項２】
請求項１に記載の窓構造体において、
前記遮光用品は、前記下端部を最も上げた状態において、前記下端部が前記上枠部材の溝部の中に位置することを特徴とする窓構造体。
【請求項３】
請求項１又は２に記載の窓構造体において、
前記遮光用品の少なくとも前記下端部は、木製であることを特徴とする窓構造体。
【請求項４】
請求項３に記載の窓構造体において、
前記遮光用品の前記下端部は、前記室内側窓枠と同一種類の木材であることを特徴とする窓構造体。
【発明の詳細な説明】
【技術分野】
【０００１】
本発明は、木製の室内側窓枠を用いた窓構造体に関する。
【背景技術】
【０００２】
住宅の窓構造体の代表的なものとして、屋外側窓枠にアルミ製のもの、室内側窓枠に木製のものが用いられ、屋外側窓枠にガラス窓が可動状態に取り付けられ、室内側窓枠又はその近傍の上部にブラインドなどの遮光用品が取り付けられたものがあげられる。ガラス窓とそれが取り付けられたアルミ製の屋外側窓枠は、屋外と室内とを物理的に隔絶することができ、それらの間を良好に断熱することができる。木製の室内側窓枠は、室内空間の調和を保ち、視覚等を通じて人を落ち着いた良好な気持ちにさせることができる。
【０００３】
一方、窓構造体の細部について、住宅における室内の居住空間をより快適にするために工夫された様々な構造が知られている。
【０００４】
屋外側窓枠及びガラス窓については、例えば、ガラス窓を２枚以上のガラス板の間に断熱層を挟むようにしたり、ガラス窓の枠体或いは屋外側窓枠をアルミ製の代わりに樹脂製にしたりして、断熱性を高めたものが知られている。
【０００５】
遮光用品については、例えば、特許文献１に開示されているように、ハニカム（蜂の巣）構造のブラインドが知られている。ハニカム構造のブラインドは、遮光のためにその下端部を降ろすと、空気層を閉じ込める多角形状（例えば、六角形状又は四角形状など）のセルが上下に連続したものとなり、この空気層で断熱することができる。
【０００６】
遮光用品の取り付けに特徴のある窓構造体としては、例えば、特許文献２に、窓枠の上枠部材に断面凹形状の収容部を形成し、両側枠部材にこの収容部の開口幅に相当する間隔をもって上下方向に形成されたガイド突起部を設けた窓枠の窓構造体が開示されている。遮光用品を使用しないときには、この収容部に遮光用品を室内内部から見て隠蔽した状態で収容することができる。
【先行技術文献】
【特許文献】
【０００７】
【特許文献１】特開平５−１５６８７７号公報
【特許文献２】特開平１１−２５６９３２号公報
【発明の概要】
【発明が解決しようとする課題】
【０００８】
しかしながら、住宅における室内の居住空間の快適性の向上は常に求められる。本願発明者は、室内の居住空間の保温性を向上させるために遮光用品の断熱性に着目し、その取り付け構造を特に木製の室内側窓枠について鋭意研究し、本願発明を案出するに至った。
【０００９】
本発明は、係る事由に鑑みてなされたものであり、その目的は、遮光用品を取り付けた木製の室内側窓枠を用いて室内の居住空間の快適性、特に保温性を向上させることができる窓構造体を提供することにある。
【課題を解決するための手段】
【００１０】
上記目的を達成するために、請求項１に記載の窓構造体は、ガラス窓が取り付けられた屋外側窓枠と、隣接するものと互いに接合された上枠部材、右枠部材、左枠部材、下枠部材を有し、該上枠部材、該右枠部材、該左枠部材、該下枠部材の各々の内側面には隣接するものと互いに連続するように形成された溝部を有する木製の室内側窓枠と、前記上枠部材の前記溝部に取り付けられた遮光用品と、を備えてなり、該遮光用品は、下端部を最も降ろした状態において、該下端部、右端部、左端部がそれぞれ前記下枠部材、前記右枠部材、前記左枠部材の各々の溝部の中に位置し、前記室内側窓枠は、前記上枠部材、前記右枠部材、前記左枠部材、前記下枠部材の各々の内側面に、隣接するものと互いに連続するように形成された第２の溝部を有し、前記上枠部材の前記第２の溝部に昇降可能で巻き取り可能な網戸が取り付けられていることを特徴とする。
【００１１】
請求項２に記載の窓構造体は、請求項１に記載の窓構造体において、前記遮光用品は、前記下端部を最も上げた状態において、前記下端部が前記上枠部材の溝部の中に位置することを特徴とする。
【００１２】
請求項３に記載の窓構造体は、請求項１又は２に記載の窓構造体において、前記遮光用品の少なくとも前記下端部は、木製であることを特徴とする。
【００１３】
請求項４に記載の窓構造体は、請求項３に記載の窓構造体において、前記遮光用品の前記下端部は、前記室内側窓枠と同一種類の木材であることを特徴とする。
【発明の効果】
【００１４】
本発明の窓構造体によれば、遮光用品を取り付けた木製の室内側窓枠を用いて室内の居住空間の快適性、特に保温性を向上させることが可能になる。
【図面の簡単な説明】
【００１５】
【図１】本発明の実施形態に係る窓構造体を示す室内側から見た正面図であって、遮光用品の下端部を最も降ろした状態のものである。
【図２】同上の窓構造体を示す室内側から見た正面図であって、遮光用品の下端部を最も上げた状態のものである。
【図３】同上の窓構造体を示すＡ−Ａ線で切断した断面図であって、（ａ）が遮光用品の下端部を最も降ろした状態のもの、（ｂ）が遮光用品の下端部を最も上げた状態のものである。
【図４】同上の窓構造体を示すＢ−Ｂ線で切断した断面図であって、遮光用品の下端部を最も降ろした状態のものである。
【図５】同上の窓構造体の室内側窓枠を構成する各部材を分離して示す斜視図である。
【図６】同上の窓構造体に網戸を追加したものを示すＡ−Ａ線で切断した断面図であって、遮光用品の下端部を最も上げ、網戸の下端部を最も降ろし、ガラス窓を開けた状態のものである。
【図７】同上の窓構造体に網戸を追加したものを示すＢ−Ｂ線で切断した断面図であって、遮光用品の下端部を最も上げ、網戸の下端部を最も降ろし、ガラス窓を開けた状態のものである。
【図８】同上の窓構造体を有する壁を室内側から見た斜視図である。
【図９】同上の窓構造体に額縁枠を追加したものを有する壁を室内側から見た斜視図である。
【発明を実施するための形態】
【００１６】
以下、本発明を実施するための形態を説明する。本発明の実施形態に係る窓構造体１は、図１〜図４に示すように、室内側窓枠２と、遮光用品３と、ガラス窓４が取り付けられた屋外側窓枠５と、を備えてなる構造である。
【００１７】
室内側窓枠２は、木製のものである。室内側窓枠２は、図５に示すように、上枠部材２１、右枠部材２２、左枠部材２３、下枠部材２４を有している。これらは互いに接合されている。すなわち、上枠部材２１は右枠部材２２と左枠部材２３に接合され、下枠部材２４は右枠部材２２と左枠部材２３に接合されている。接合の方法は、限定されず、従来の方法（接着、嵌め合わせ、くぎ類による結合など）を用いることができる。
【００１８】
上枠部材２１、右枠部材２２、左枠部材２３、下枠部材２４の各々の内側面２１ａ、２２ａ、２３ａ、２４ａには、溝部２１ｂ、２２ｂ、２３ｂ、２４ｂが形成されている。溝部２１ｂ、２２ｂ、２３ｂ、２４ｂは、開口幅Ｗ（図３（ｂ）参照）が互いに略等しくなるように形成されている。また、溝部２１ｂ、２２ｂ、２３ｂ、２４ｂは、隣接するものと互いに連続するように形成されている。
【００１９】
遮光用品３は、室内側窓枠２の上枠部材２１の溝部２１ｂ（詳細には、その底面又は内側面）に取り付けられている。遮光用品３は、特に限定はされないが、良好な断熱性を有するもの（例えば、図３（ａ）等で示すようなハニカム構造のブラインドなど）が好ましい。なお、図においては、昇降コードなどの部材は省略している。
【００２０】
遮光用品３は、下端部３ａを最も降ろした状態において、その下端部３ａ、右端部３ｂ、左端部３ｃがそれぞれ下枠部材２４、右枠部材２２、左枠部材２３の各々の溝部２４ｂ、２２ｂ、２３ｂの中に位置する（図３（ａ）、図４参照）。下端部３ａを最も降ろした状態において、下端部３ａは、下枠部材２４の溝部２４ｂの底面に接触していてもよい。右端部３ｂと左端部３ｃはそれぞれ、右枠部材２２の溝部２２ｂの底面、左枠部材２３の溝部２３ｂの底面から僅かだけ離れているのが好ましい。
【００２１】
遮光用品３は、下端部３ａを最も上げた状態において、下端部３ａが上枠部材２１の溝部２１ｂの中に位置する（図３（ｂ）参照）のが非常に好ましい。そうすると、採光性をより良好にすることができる。
【００２２】
遮光用品３は、通常、上部のヘッドボックス、下部のボトムレール、その間の遮光本体（例えば、ハニカム構造体）、から構成される。遮光用品３の下端部３ａは、通常、ボトムレールの下端部である。遮光用品３の少なくとも下端部３ａは、木製にするのが好ましい。すなわち、ボトムレールを２重（又は３重以上）の構造にしてその最下層を木製にする、或いはボトムレール全てを木製にするのが好ましい。そうすると、下端部３ａを最も上げた状態において木製の下端部３ａしかほとんど見えないようにし、室内側窓枠２とともに室内空間の調和性を向上させることができる。木製の下端部３ａを室内側窓枠２と同一種類の木材（例えば、スギ、ヒノキ、アカマツなど）とすると、室内空間の調和性の点で、更に好ましい。
【００２３】
ガラス窓４と屋外側窓枠５は、特に限定はない。ガラス窓４は、１枚又は複数枚のガラス板４１と、アルミ製、樹脂製、木製などの枠体（障子枠）４２と、を有する従来のもの（例えば、図２等で示す引違いのもの、サイドスイングのもの、トップスイングのものなど）とすることができる。屋外側窓枠５は、ガラス窓４が適合する従来（例えば、アルミ製、樹脂製、木製など）のものとすることができる。
【００２４】
以上説明した窓構造体１では、遮光用品３の下端部３ａを最も降ろした状態において、室内側窓枠２、遮光用品３、ガラス窓４、屋外側窓枠５で閉塞空間Ｃを作ることができる（図３（ａ）、図４参照）。この閉塞空間Ｃは、以下のような機能を発揮する。
【００２５】
断熱性を高めたガラス窓４及び屋外側窓枠５を用いたとしても、ガラス窓４及び屋外側窓枠５の内側、すなわち閉塞空間Ｃ、にはある程度、熱伝導等により屋外の温度が伝わる。
【００２６】
遮光用品３は、それを降ろした状態において、その下端部３ａ、右端部３ｂ、左端部３ｃがそれぞれ室内側窓枠２の下枠部材２４、右枠部材２２、左枠部材２３の各々の溝部２４ｂ、２２ｂ、２３ｂの中に位置するようにできるため、遮光用品３の外側と内側、すなわち閉塞空間Ｃと人が居住する居住空間との間の空気の対流を非常に少なくすることができる。よって、閉塞空間Ｃにおける空気の対流も非常に少なく、閉塞空間Ｃの空気は良好な断熱体として働くようにできる。
【００２７】
また、室内側窓枠２は、木製であるため熱伝導性が低いものである。また、遮光用品３は、ハニカム構造のブラインドなど熱伝導性が低いものを採用することができる。
【００２８】
従って、屋外の温度は、ガラス窓４及び屋外側窓枠５の内側に伝わったとしても、室内の居住空間には伝わり難くなる。それにより、居住空間の保温性を向上させることができる。
【００２９】
以上、本発明の実施形態に係る窓構造体について説明したが、本発明は、実施形態に記載したものに限られることなく、特許請求の範囲に記載した事項の範囲内での設計変更が可能である。
【００３０】
例えば、図６及び図７に示すように、室内側窓枠２の上枠部材２１、右枠部材２２、左枠部材２３、下枠部材２４の各々の内側面２１ａ、２２ａ、２３ａ、２４ａに、溝部２１ｂ、２２ｂ、２３ｂ、２４ｂと同様な、第２の溝部２１ｃ、２２ｃ、２３ｃ、２４ｃを設け、上枠部材２１の第２の溝部２１ｃに、昇降可能で巻き取り可能な網戸６を取り付けることが可能である。
【００３１】
網戸６は、下端部６ａを最も降ろした状態において、その下端部６ａ、右端部６ｂ、左端部６ｃがそれぞれ下枠部材２４、右枠部材２２、左枠部材２３の各々の溝部２４ｃ、２２ｃ、２３ｃの底面に接触する。網戸６の下端部６ａ、右端部６ｂ、左端部６ｃは、通常、網目シートをその周辺で支持する枠体の下端部、右端部、左端部である。この網戸６により、夏場等において虫の浸入を防ぎつつ容易に居住空間の換気などを行うことができる。
【００３２】
また、例えば、図８には、室内において窓構造体１（詳しくは、室内側窓枠２）が壁７から突出しないように施工したものを示しているが、図９に示すように、窓構造体１において室内側窓枠２に重なる額縁枠８を追加して、少しだけ窓構造体１が壁７から突出するようにすることができる。この場合、額縁枠８を構成する額縁上枠部材８１、額縁右枠部材８２、額縁左枠部材８３、額縁下枠部材８４の各々の内側面は、平面にし、室内側から見て、室内側窓枠２の上枠部材２１、右枠部材２２、左枠部材２３、下枠部材２４の各々の内側面２１ａ、２２ａ、２３ａ、２４ａと略同じ位置にすることができる。
【符号の説明】
【００３３】
１    窓構造体
２    室内側窓枠
２１  上枠部材
２１ａ  上枠部材の内表面
２１ｂ  上枠部材の溝部
２１ｃ  上枠部材の第２の溝部
２２  右枠部材
２２ａ  右枠部材の内表面
２２ｂ  右枠部材の溝部
２２ｃ  右枠部材の第２の溝部
２３  左枠部材
２３ａ  左枠部材の内表面
２３ｂ  左枠部材の溝部
２３ｃ  左枠部材の第２の溝部
２４  下枠部材
２４ａ  下枠部材の内表面
２４ｂ  下枠部材の溝部
２４ｃ  下枠部材の第２の溝部
３    遮光用品
３ａ  遮光用品の下端部
４    ガラス窓
５    屋外側窓枠
６    網戸
【図１】
0006548252.tif 000002
【図２】
0006548252.tif 000003
【図３】
0006548252.tif 000004
【図４】
0006548252.tif 000005
【図５】
0006548252.tif 000006
【図６】
0006548252.tif 000007
【図７】
0006548252.tif 000008
【図８】
0006548252.tif 000009
【図９】
0006548252.tif 000010